(57)【要約】【課題】より快適に利用できる、照明ユニットを備えるキャビネットを提供する。【解決手段】キャビネットは、背板２０とは別体として形成された棚板を備える。棚板は、背板側の端部に、上側に隆起する後端隆起部５０ａを有する。【選択図】図７
2019103761.tif 000002
【特許請求の範囲】
【請求項１】
背板とは別体として形成された棚板を備え、
前記棚板は、前記背板側の端部に、上側に隆起する隆起部を有することを特徴とするキャビネット。
【請求項２】
前記棚板は、前記背板とは反対側の端部に、上側に隆起する別の隆起部を有し、
前記別の隆起部の高さは、前記隆起部の高さよりも低いことを特徴とする請求項１に記載のキャビネット。
【請求項３】
前記棚板は、前記背板とは反対側の端部に、上側に隆起する別の隆起部を有し、
前記別の隆起部は、前記隆起部の上端よりも下側に、排液部を有することを特徴とする請求項１に記載のキャビネット。
【請求項４】
前記棚板は、前記背板とは反対側の端部の一部にだけ、上側に隆起する別の隆起部を有することを特徴とする請求項１に記載のキャビネット。
【請求項５】
前記棚板には、電気的部品が収容されており、
前記棚板の前記背板側の面には、前記電気的部品に接続されるケーブルを外部に引き出すための穴が形成されていることを特徴とする請求項１から４のいずれかに記載のキャビネット。
【請求項６】
前記棚板は、底板を兼ねることを特徴とする請求項１から５のいずれかに記載のキャビネット。
【請求項７】
請求項１から４のいずれかに記載のキャビネットと、
前記キャビネットより下方に設けられる洗面台と、を備えることを特徴とする洗面化粧台。
【発明の詳細な説明】
【技術分野】
【０００１】
本発明は、キャビネットおよびそれを用いた洗面化粧台に関する。
【背景技術】
【０００２】
洗面台の上方などに設置される、照明ユニットを備えるキャビネットが知られている。従来では、手元を照明するための照明ユニットを備えるキャビネットが提案されている（例えば特許文献１）。
【先行技術文献】
【特許文献】
【０００３】
【特許文献１】特開２００９−０７７８２３号公報
【発明の概要】
【発明が解決しようとする課題】
【０００４】
本発明はかかる状況に鑑みてなされたものであり、そのある態様の目的のひとつは、より快適に利用できる、照明ユニットを備えるキャビネットを提供することにある。
【課題を解決するための手段】
【０００５】
本発明のある態様のキャビネットは、背板とは別体として形成された棚板を備える。棚板は、背板側の端部に、上側に隆起する隆起部を有する。
【発明の効果】
【０００６】
本発明によれば、より快適に利用できる、照明ユニットを備えるキャビネットを提供できる。
【図面の簡単な説明】
【０００７】
【図１】実施の形態に係る洗面化粧台を示す斜視図である。
【図２】図１の上部キャビネットを示す斜視図である。
【図３】図２の中央底板とその周辺を示す斜視図である。
【図４】図２の中央底板とその周辺を示す斜視図である。
【図５】図２の中央底板とその周辺を示す正面図である。
【図６】図２の中央底板とその周辺を示す底面図である。
【図７】図５のＡ−Ａ線断面図である。
【図８】変形例に係る中央底板とその周辺を示す斜視図である。
【図９】変形例に係る中央底板の隆起部とその周辺を右側から見た図である。
【図１０】変形例に係る中央底板の隆起部とその周辺を正面から見た図である。
【図１１】変形例に係る中央底板とその周辺を示す断面図である。
【図１２】変形例に係る中央底板とその周辺を示す断面図である。
【図１３】変形例に係る中央底板とその周辺を示す断面図である。
【図１４】変形例に係る中央底板とその周辺を示す断面図である。
【０００８】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また、本明細書において、「上」、「下」、「左」、「右」はそれぞれ、洗面化粧台を利用する利用者から見た上、下、左、右をいう。また、「前」、「後」はそれぞれ、利用者から見て手前側、奥側をいう。
【０００９】
図１は、実施の形態に係る洗面化粧台１を示す斜視図である。図２は、上部キャビネット１０を示す斜視図である。図２では、上部キャビネット１０の内側の構成を示すため、収納扉１４を取り外した状態を示している。洗面化粧台１は、例えば洗面所に設置される。洗面化粧台１は、洗面台２と、吐水装置３と、下部キャビネット４と、バックパネル５と、上部キャビネット１０と、を備える。
【００１０】
下部キャビネット４は、床面に設置される。下部キャビネット４は、本実施の形態では２つの引出を有しており、例えば洗面用具や化粧品を収容できる。洗面台２は、洗面ボウル６と、カウンター７と、を含む。洗面ボウル６は、下方に窪んだ凹状に形成される。洗面ボウル６は、吐水装置３から吐水される水を受ける。カウンター７は、板状であり、本実施の形態では洗面ボウル６を取り囲むように設けられる。本実施の形態では、洗面ボウル６とカウンター７とは一体に形成されている。吐水装置３は、洗面ボウル６の後ろ側に設置される。吐水装置３は、利用者の操作に応じて吐水する。バックパネル５は、洗面台２の上方の壁面に固定される。本実施の形態では、バックパネル５の前面には、鏡が取り付けられている。
【００１１】
上部キャビネット１０は、バックパネル５の上方の壁面に固定される。上部キャビネット１０は、収納棚１２と、収納扉１４で総称される中央収納扉１４Ｃ、左収納扉１４Ｌ、右収納扉１４Ｒと、を含む。
【００１２】
収納棚１２は、背板２０と、左側板２２と、右側板２４と、天板２６と、底板２８で総称される中央底板２８Ｃ、左底板２８Ｌ、右底板２８Ｒと、縦仕切板３０で総称される左縦仕切板３０Ｌ、右縦仕切板３０Ｒと、棚板３１で総称される中央棚板３１Ｃ、左棚板３１Ｌ、右棚板３１Ｒと、を含む。中央底板２８Ｃ、左底板２８Ｌ、右底板２８Ｒはそれぞれ、棚板を兼ねる。
【００１３】
各底板２８は、背板２０、左側板２２、右側板２４および縦仕切板３０とは別体として形成される。中央底板２８Ｃは左縦仕切板３０Ｌと右縦仕切板３０Ｒとの間に設けられ、左底板２８Ｌは左側板２２と左縦仕切板３０Ｌとの間に設けられ、右底板２８Ｒは右側板２４と右縦仕切板３０Ｒとの間に設けられる。収納棚１２は、左縦仕切板３０Ｌと右縦仕切板３０Ｒとの間の中央収納空間３２Ｃと、左側板２２と左縦仕切板３０Ｌとの間の左収納空間３２Ｌと、右側板２４と右縦仕切板３０Ｒとの間の右収納空間３２Ｒと、を有する。中央棚板３１Ｃは左縦仕切板３０Ｌと右縦仕切板３０Ｒとの間に設けられ、左棚板３１Ｌは左側板２２と左縦仕切板３０Ｌとの間に設けられ、右棚板３１Ｒは右側板２４と右縦仕切板３０Ｒとの間に設けられる。
【００１４】
各縦仕切板３０は、縦仕切板本体１５と、縦型照明ユニット１６と、を含む。縦仕切板本体１５は、収納空間を仕切る部材である。縦型照明ユニット１６は、上部キャビネット１０の正面側を照らすための照明ユニットであり、縦仕切板本体１５の前面に固定される。各縦型照明ユニット１６は、光を照射する光源モジュール（不図示）と、光源モジュールからの光を拡散させつつ透過させる照明カバー３４と、を含む。
【００１５】
中央収納扉１４Ｃ、左収納扉１４Ｌ、右収納扉１４Ｒはそれぞれ、中央収納空間３２Ｃ、左収納空間３２Ｌ、右収納空間３２Ｒを開閉可能に覆う扉である。各収納扉１４は、不図示の蝶番を介して収納棚１２に取り付けられている。本実施の形態では、中央収納扉１４Ｃ、左収納扉１４Ｌは右開き、右収納扉１４Ｒは左開き、となるよう収納棚１２に取り付けられている。各収納扉１４の前面には、鏡が取り付けられている。つまり、本実施の形態の上部キャビネット１０は、ミラーキャビネットである。
【００１６】
図３〜７はそれぞれ、中央底板２８Ｃとその周辺を示す図である。図３は上方から見た斜視図であり、図４は下方から見た斜視図であり、図５は正面図であり、図６は底面図であり、図７は図５のＡ−Ａ線断面図である。図３、４では、中央収納扉１４Ｃの表示を省略している。上部キャビネット１０は、照明ユニットに対する利用者の操作を検知するためのセンサ７６と、センサの検知結果に基づいて照明ユニットの点消灯を制御する制御ユニット７８と、をさらに含む。
【００１７】
中央底板２８Ｃは、底板本体１７と、主に上部キャビネット１０よりも下方を照らすための下部照明ユニット１８と、を含む。底板本体１７は、内部に収容空間３８を有する。つまり、底板本体１７は中空に形成される。収容空間３８には、縦型照明ユニット１６や下部照明ユニット１８に関する電気部品が収容される。底板本体１７は、電気部品が発する熱を放熱しやすいように、例えばアルミニウムなどの熱伝導率が高い材料によって形成される。
【００１８】
底板本体１７は、本実施の形態では、ベース４０と、トップカバー４２と、左サイドキャップ４４と、右サイドキャップ４６と、を含む。ベース４０、トップカバー４２、左サイドキャップ４４および右サイドキャップ４６により、上述の収容空間３８が形成される。
【００１９】
トップカバー４２は、いずれも板状である、上板部５０と、前板部５２と、後板部５４と、を含む。上板部５０は、２つの主表面が鉛直方向を向き、平面視で（すなわち鉛直上方から見て）左右方向に長い矩形状を有する。上板部５０の上面は、物を載置するための平坦な載置面５０ｃを構成する。前板部５２は、上板部５０の前端側から下方に延び、正面視で（すなわち前方から見て）左右方向に長い矩形状を有する。後板部５４は、上板部５０の後端側から下方に延び、正面視で左右方向に長い矩形状を有する。
【００２０】
上板部５０は、その後端部に、載置面５０ｃよりも上側に隆起する後端隆起部５０ａを有する。後端隆起部５０ａは、壁状に形成される。ただし、後端隆起部５０ａの形状は特には限定されず、例えば後端に近づくにつれて高くなる山状に形成されてもよい。また、後端隆起部５０ａは、上板部５０の後端部の左右方向の全範囲に渡って存在する。
【００２１】
また、上板部５０は、その前端部にも、載置面５０ｃよりも上側に隆起する前端隆起部５０ｂを有する。前端隆起部５０ｂは、壁状に形成される。ただし、前端隆起部５０ｂの形状は、後端隆起部５０ａと同様に、特には限定されない。また、前端隆起部５０ｂは、前端部の左右方向の全範囲に渡って存在する。
【００２２】
後端隆起部５０ａおよび前端隆起部５０ｂは、前端隆起部５０ｂの上端のうちの左右方向において最も低い部分（以下、「前端最低部」と呼ぶ）が、後端隆起部５０ａの上端のうちの左右方向において最も低い部分（以下、「後端最低部」と呼ぶ）よりも、載置面５０ｃを基準とする高さが低くなるように形成される。図示の例では、後端隆起部５０ａおよび前端隆起部５０ｂはいずれも、左右方向で高さが一定となるよう形成されている。したがってこの例では、後端隆起部５０ａの上端の全体が後端最低部となり、前端隆起部５０ｂの上端の全体が前端最低部となる。つまり、後端隆起部５０ａの全体が前端隆起部５０ｂよりも高くなっている。
【００２３】
後板部５４には、ケーブルを通すための穴５４ａが形成されている。例えば収容空間３８内に収容されている電気部品に接続されるケーブルが、この穴５４ａから底板本体１７の外部に引き出される。
【００２４】
ベース４０は、いずれも板状である、第１ベース部６０と、第２ベース部６２と、第３ベース部６４と、第４ベース部６６と、下垂部６８と、を含む。第１ベース部６０は、トップカバー４２の前板部５２の下端側に接続され、平面視で左右方向に長い矩形状を有する。第２ベース部６２は、第１ベース部６０の後端側から斜め下後方に延びる。つまり、第２ベース部６２の下面６２ａは、斜め下前方を向くように傾斜する。第３ベース部６４は、第２ベース部６２の後端側から、収納扉１４の下端と実質的に同じ高さまで下方に延びる。第３ベース部６４は、正面視で左右方向に長い矩形状を有する。
【００２５】
第４ベース部６６は、第３ベース部６４の下端側から後方に延びる、つまり、収納扉１４の下端と実質的に同じ高さを後方に延びる。第４ベース部６６の後端側は、トップカバー４２の後板部５４の下端側に接続される。第４ベース部６６は、平面視で左右方向に長い矩形状を有する。下垂部６８は、第１ベース部６０と第２ベース部６２との接続部分から下方に延び、正面視で左右方向に長い矩形状を有する。下垂部６８の下端は、第３ベース部６４の下端よりも上側に位置する。
【００２６】
左サイドキャップ４４は、ベース４０とトップカバー４２との間の左端の開口を塞ぎ、右サイドキャップ４６は、右端の開口を塞ぐ。中央底板２８Ｃと左縦仕切板３０Ｌおよび右縦仕切板３０Ｒとの間は、不図示のパッキンによりシールされる。
【００２７】
下部照明ユニット１８は、光源モジュール４８と、透光性を有する照明カバー７４と、を含む。照明カバー７４は、左右方向に長く形成され、下垂部６８と第３ベース部６４との間の開口を塞ぐようにベース４０に取り付けられる。これにより、照明カバー７４、第２ベース部６２、第３ベース部６４、下垂部６８、左サイドキャップ４４および右サイドキャップ４６によって囲まれる左右方向に長い収容空間５８が形成される。つまり、照明カバー７４と底板本体１７との間に収容空間５８が形成される。なお、図示の例では、照明カバー７４は、スナップフィット方式により着脱可能に取り付けられている。照明カバー７４は、拡散剤を含有し、光源モジュール４８からの光を拡散させつつ透過させる。
【００２８】
照明カバー７４は、その長手方向（すなわち左右方向）に直交する断面形状が略Ｕ字形状であり、前面部８０と、下面部８２と、後面部８４と、を含む。前面部８０は、下垂部６８よりも下側に位置する露出部８０ａを有する。下面部８２は、その下面８２ａが第４ベース部６６の下面６６ａと隣接し、かつ、下面６６ａと概ね面一となるように構成される。露出部８０ａの前面８０ｂと、下面部８２の下面８２ａは、光源モジュール４８からの光が出射される出射面を構成する。出射面の少なくとも一部は、中央底板２８Ｃの正面視にて露出するように構成されている。これにより、そうではない場合と比べ、光源モジュール４８からの光をより多く前方に向けて出射できる。また、上述したように照明カバー７４は拡散剤を含有しているため、光源モジュール４８からの光の一部は、中央底板２８Ｃの正面視にて露出する出射面の部分から、斜め上前方にも出射する。なお、図示の例では、出射面のうちの露出部８０ａの前面８０ｂが、中央底板２８Ｃの正面視にて露出する。
【００２９】
光源モジュール４８は、収容空間５８に収容される。光源モジュール４８は、基板７０と、少なくとも１つの光源７２と、を含む。基板７０は、左右方向に細長い板状に形成される。基板７０は、第２ベース部６２の下面６２ａに固定される。上述したように、第２ベース部６２の下面６２ａが斜め下前方を向くように傾斜しているため、基板７０の主表面（実装面）７０ａも斜め下前方を向いている。
【００３０】
光源７２は、本実施の形態では、ＬＥＤである。なお、光源７２は、ＬＤ（レーザダイオード）、有機または無機ＥＬ（エレクトロルミネセンス）などの他の光源であってもよい。光源７２は基板７０の主表面７０ａに実装される。上述したように基板７０の主表面７０ａは斜め下前方を向くように傾斜している。したがって、光源７２の出射面７２ａも斜め下前方を向いている。つまり、光源７２の光軸は、鉛直方向に対して斜め前方に傾斜する。
【００３１】
センサ７６は、光学センサすなわち非接触センサであり、光を投光する投光部（不図示）と、投光部が投光した光の反射光を検知するための受光部（不図示）と、含む。センサ７６は、その下方の検知領域９０に差し出された物体（例えば利用者の指）を非接触で検知する。センサ７６は、検知結果に基づく信号を制御ユニット７８に送る。
【００３２】
センサ７６は、その少なくとも一部が収納扉１４の背後に位置するように、すなわち収納扉１４よりも後方で、かつ、その少なくとも一部が収納扉１４の下端よりも上側に位置するように設けられる。好ましくは、センサ７６は、その全体が収納扉１４の背後に位置するように、すなわちその全体が収納扉１４よりも後方で、かつ、その全体が収納扉１４の下端よりも上側に位置するように設けられる。図示の例では、センサ７６は、その全体が収納扉１４の背後に位置するように設けられている。センサ７６は特に、底板本体１７の収容空間３８内に設けられている。より具体的には、センサ７６は、収容空間３８内において第１ベース部６０に固定されている。
【００３３】
中央収納扉１４Ｃは、その背面の下部に指を掛けて手前に引くと開く。つまり上部キャビネット１０は、中央収納扉１４Ｃが閉まっている状態において中央収納扉１４Ｃの背面に使用者の指を掛けられるように構成されている。本実施の形態では、中央収納扉１４Ｃのすぐ後方に位置する第１ベース部６０が、その下面が中央収納扉１４Ｃの下端よりも上側に位置するよう設けられているため、第１ベース部６０の下方において中央収納扉１４Ｃの背面に指を掛けられるようになっている。以下、中央収納扉１４Ｃを開くときに指が掛かりうる中央収納扉１４Ｃの背面の範囲を「指掛け範囲３６」と呼ぶ。センサ７６は、平面視で指掛け範囲３６の後方となる位置を避けた位置に設けられる。ここで、通常、扉を開く場合、蝶番から遠い側に指を掛ける。したがって、指掛け範囲３６は例えば、中央収納扉１４Ｃの背面の下側の範囲のうち、左右方向において蝶番から遠い端部寄りの範囲、より具体的には左右方向における中央よりも蝶番から遠い側の範囲であってもよい。この場合、右開きの中央収納扉１４Ｃでは、中央収納扉１４Ｃの背面の下側の範囲のうち、左右方向における中央よりも左側の範囲が指掛け範囲となる。そしてセンサ７６は、中央収納扉１４Ｃの背後のうち、左右方向において蝶番に近い端部寄りの中央収納扉１４Ｃの部分の背後に、より具体的には左右方向における中央よりも蝶番に近い側の収納扉１４の部分の背後に設けられてもよい。この場合、右開きの中央収納扉１４Ｃでは、左右方向における中央よりも右側の中央収納扉１４Ｃの部分の背後にセンサ７６が設けられる。
【００３４】
センサ７６は、一般的なセンサと同様に、センサ７６の直近であって、当該センサ７６と検知領域９０との間に、非検知領域９２を有する。非検知領域９２は、投光部からの光が当該領域で反射して受光部に入っても、照明を制御しない領域である。センサ７６は、この非検知領域９２の全体が、中央収納扉１４Ｃよりも下方に突出しないように設けられる。
【００３５】
制御ユニット７８は、底板本体１７の収容空間３８内に設けられる。制御ユニット７８は特に、底板本体１７の載置面５０ｃの裏面と非接触の状態、すなわち上板部５０と非接触の状態で、収容空間３８内においてベース４０に固定される。好ましくは、制御ユニット７８は、底板本体１７の前面の裏面とも非接触の状態、すなわち前板部５２とも非接触の状態で、収容空間３８内においてベース４０に固定される。より好ましくは、制御ユニット７８は、トップカバー４２と非接触の状態で、収容空間３８内においてベース４０に固定される。図示の例では、制御ユニット７８は、トップカバー４２と非接触の状態で、収容空間３８内において第４ベース部６６に固定されている。
【００３６】
制御ユニット７８は、センサ７６からの信号に基づいて縦型照明ユニット１６および下部照明ユニット１８の点灯、消灯および明るさの調整等の照明制御を行う。制御ユニット７８は例えば、電源回路（不図示）と、点灯回路（不図示）と、を含む。電源回路は、商用電源からの交流電力を直流電力に変換する。点灯回路は、センサ７６からの信号に応じて各照明ユニットの光源に電力を供給して点灯させたり、電力の供給を停止して消灯させたりする。
【００３７】
つづいて、本実施の形態が奏する効果について述べる。本実施の形態によれば、底板本体１７と、透光性を有する照明カバー７４との間に収容空間５８が形成され、この収容空間５８に光源モジュール４８が収容される。つまり、底板本体１７は、光源モジュール４８が収容される収容空間５８を画成するためのボディを兼ねる。このため、光源モジュール４８が収容される収容空間５８を画成するためのボディを別途設けなくてよく、部品点数が減り、製造コストを抑えられる。
【００３８】
また、本実施の形態によれば、制御ユニット７８などの電気部品は、載置面５０ｃの裏面と非接触の状態で、収容空間３８においてベース４０に固定される。これにより、電気部品が発する熱は、主にベース４０に伝わり、そこから外部に放熱されるため、載置面５０ｃが高温になるのを抑止できる。その結果、載置面５０ｃに載置されている物が悪影響を受けるのが抑止できる。好ましくは電気部品は、底板本体１７の前面の裏面とも非接触とされる。これにより、利用者が触れる可能性がある底板本体１７の載置面５０ｃや前面が高温になるのを抑止でき、利用者がそれらに触れたときに不快な思いをするのを抑止できる。より好ましくは、電気部品は、トップカバー４２と非接触とされる。これにより、電気部品が発する熱が載置面５０ｃ等に伝わりにくくなる。
【００３９】
また、載置面５０ｃに物が置かれたときの衝撃で底板本体１７は振動する。中でも、載置面５０ｃを構成する上板部５０は特に振動する。これに対し本実施の形態では、電気部品はベース４０に固定される。これにより、載置面５０ｃに物が置かれたときの振動が電気部品に伝わるのを抑止でき、電気部品が振動により悪影響を受けるのを抑止できる。
【００４０】
また、本実施の形態によれば、センサ７６は、少なくとも一部が収納扉１４の背後に位置するように設けられる、つまり上部キャビネット１０を正面視したときに視認しにくい位置に設けられる。これにより、上部キャビネット１０の美観を向上できる。好ましくは、センサ７６は、その全体が収納扉１４の背後に位置するように設けられる、つまり上部キャビネット１０を正面視したときに視認できない位置に設けられる。これにより、上部キャビネット１０の美観をさらに向上できる。
【００４１】
また、本実施の形態によれば、センサ７６は当該センサ７６とその検知領域９０との間の非検知領域９２が中央収納扉１４Ｃよりも下方に突出しないように設けられるため、照明ユニットを操作するために差し出される利用者の指が非検知領域９２に進入するのを抑止できる。これにより、利用者の操作を誤検知するのを抑止できる。
【００４２】
また、本実施の形態によれば、センサ７６は、平面視で指掛け範囲３６の後方となる位置を避けた位置に設けられる。これにより、中央収納扉１４Ｃを開くために差し出された手をセンサ７６が検出して、意図せず照明ユニットが操作される事態が生じるのを抑止できる。
【００４３】
また、本実施の形態によれば、下部照明ユニット１８の照明カバー７４は、出射面の少なくとも一部が中央底板２８Ｃの正面視にて露出するように構成されているため、そうではない場合と比べ、光源モジュール４８の光源７２からの光をより前方に向けて出射できる。これにより、例えばバックパネル５の鏡に対面するように椅子や車椅子に座った利用者の顔を好適に照らすことが可能となる。また、本実施の形態によれば、下部照明ユニット１８の光源モジュール４８は、その光源７２の光軸Ａｘが鉛直方向に対して前方側に傾斜するように設けられる。これにより、光源７２からの光をより前方に向けて出射できる。
【００４４】
また、本実施の形態によれば、下部照明ユニット１８の照明カバー７４は、拡散剤を含有し、光源モジュール４８からの光を拡散させつつ透過させる。これにより、上述したように中央底板２８Ｃの正面視にて露出する出射面から出射される光の一部は、斜め上前方にも出射される。ここで、洗面所における洗面化粧台１と天井照明（不図示）との位置関係によっては、中央収納扉１４Ｃを開くと天井照明からの光が遮られ、収納棚１２の収納空間が薄暗くなって収納物の視認性が低下する。これに対し本実施の形態によれば、上述したように下部照明ユニット１８からの光の一部が斜め上前方に出射される。これにより、収納空間が明るくなり、収納物の視認性が向上する。
【００４５】
また、載置面５０ｃにこぼれた液体が底板本体１７と背板２０との間に液体が流れ込むと、そこに液体が溜まり、カビが発生する原因となる。また、底板２８の背板２０側には、底板２８の収容空間３８に収容される電気部品に接続されるケーブルを引き出すための引き出し穴５４ａが形成されているため、底板本体１７と背板２０との間に液体が流れ込むと、引き出し穴５４ａから収容空間３８内に液体が浸入して電気部品に悪影響を及ぼしうる。この対策として、底板本体１７と背板２０との間に液体が流れ込まないようにパッキンを配置することも考えられるが、部品点数が増えるためコストが増大する。これに対し、本実施の形態によれば、底板本体１７は載置面５０ｃよりも上側に隆起する後端隆起部５０ａを有する。これにより、コストの増大を抑えつつ、底板本体１７と背板２０との間に液体が流れ込むのが抑止される。
【００４６】
また、本実施の形態によれば、底板本体１７は、後端隆起部５０ａに加えて前端隆起部５０ｂを有する。これにより、載置面５０ｃに置かれた物の落下を抑止できる。また、載置面５０ｃに液体がこぼれた場合に、底板本体１７の前面側から液体が流れ落ちるのが抑止される。したがって、流れ落ちずに底板本体１７の載置面５０ｃに溜まった液体を拭き取ればよいため、液体をこぼしたときの掃除が楽になる。また、後端隆起部５０ａおよび前端隆起部５０ｂは、前端最低部の高さが後端最低部の高さよりも低くなるように形成される。これにより、隆起部間に収まりきらない量の液体が載置面５０ｃにこぼれた場合、前端最低部から前面側に液体が流れ落ちる。つまり、前端最低部が、液体を排出するための排液部として機能する。その結果、底板本体１７と背板２０との間に液体が流れ込むのが抑止される。
【００４７】
以上、実施の形態に係る上部キャビネット１０について説明した。この実施の形態は例示であり、各構成要素の組み合わせにいろいろな変形例が可能なこと、またそうした変形例も本発明の範囲にあることは当業者に理解されるところである。
【００４８】
（変形例１）
実施の形態では、中央底板２８Ｃが下部照明ユニット１８を含み、中央底板２８Ｃの底板本体１７にセンサ７６が収容される場合について説明したが、これに限られない。中央底板２８Ｃに加えて、または底板２８に代えて、左底板２８Ｌまたは／および右底板２８Ｒが下部照明ユニット１８を含んでもよい。また、センサ７６は、左底板２８Ｌまたは右底板２８Ｒに収容されてもよい。
【００４９】
また、実施の形態では、収納棚１２が３つの底板２８を含む場合について説明したが、これに限られず、収納棚１２は、１つ、２つ、または４つ以上の底板２８を含んでもよい。この場合、任意の底板２８が下部照明ユニット１８を含んでもよい。また、任意の底板２８にセンサ７６が収容されてもよい。
【００５０】
（変形例２）
実施の形態では、上部キャビネット１０が縦型照明ユニット１６と下部照明ユニット１８を備える場合について説明したが、これに限られない。
【００５１】
例えば、上部キャビネット１０は、縦型照明ユニット１６または下部照明ユニット１８のうちの一方を備えなくてもよい。図８は、変形例に係る中央底板とその周辺を示す斜視図である。この例では、上部キャビネット１０は下部照明ユニット１８を備えていない。センサ７６は、縦型照明ユニット１６に対する操作だけを検知する。縦型照明ユニット１６の制御ユニットは、底板本体１７内に収容されても、別の場所に収容されてもよい。
【００５２】
また例えば、上部キャビネット１０は、縦型照明ユニット１６および下部照明ユニット１８に加えて、またはこれらの少なくとも一方に代えて、別の照明ユニットを備えてもよい。この場合、センサ７６により別の照明ユニットに対する点消灯の操作を検知し、制御ユニット７８により別の照明ユニットの点消灯を制御してもよい。別の照明ユニットは、例えば、上部キャビネット１０の上端部に設けられる上部照明ユニットであってもよい。
【００５３】
（変形例３）
実施の形態の技術思想の少なくとも一部は、棚板３１にも適用できる。例えば、棚板３１が、後端隆起部５０ａと前端隆起部５０ｂを有してもよい。この場合、棚板３１にこぼれた液体が棚板３１と背板２０との間に流れ込むのを抑止できる。
【００５４】
（変形例４）
実施の形態では、底板本体１７の上板部５０が、後端隆起部５０ａと前端隆起部５０ｂを有する場合について説明したが、これに限られない。上板部５０は、少なくとも後端隆起部５０ａを有していればよく、前端隆起部５０ｂを有しない構成も考えられる。
【００５５】
また、実施の形態では特に言及しなかったが、前端隆起部５０ｂは、後端隆起部５０ａの後端最低部よりも低い位置に前端隆起部５０ｂを前後に貫通する貫通孔を有してもよい。図９は、変形例に係る中央底板２８Ｃの隆起部とその周辺を右側から見た図である。この例では、後端隆起部５０ａおよび前端隆起部５０ｂはいずれも、左右方向における高さが一定となっている。前端隆起部５０ｂには、後端隆起部５０ａの上端よりも低い位置に貫通孔５０ｄが形成されている。載置面５０ｃにこぼれた液体は、この貫通孔５０ｄから前面側に流れ落ちる。つまり、貫通孔５０ｄが排液部として機能する。この場合、前端最低部と後端最低部との高低関係は問わない。
【００５６】
また、実施の形態では、前端隆起部５０ｂが上板部５０の前端部の左右方向の全範囲に渡って存在する場合について説明したが、これに限られず、前端隆起部５０ｂは一部にだけ存在するよう設けられてもよい。図１０は、変形例に係る中央底板２８Ｃの隆起部周辺を、正面から見た図である。この例では、上板部５０の前端部の左右方向における両端には、前端隆起部５０ｂが形成されていない。載置面５０ｃにこぼれた液体は、前端部の両端から前面側に流れ落ちる。この場合、前端最低部と後端最低部との高低関係は問わない。
【００５７】
（変形例５）
下部照明ユニット１８の照明カバー７４の形状には様々な変形例が考えられる。
図１１〜１４はそれぞれ、照明カバー７４とその周辺を示す断面図である。図１１１４はそれぞれ、図７の照明カバー７４とその周辺に対応する。
【００５８】
図１１の例では、下面部８２の前方側が、後ろ側ほど下方に位置するように直線的に傾斜する。
【００５９】
図１２の例では、下面部８２の全体が、後ろ側ほど下方に位置するように直線的に傾斜する。また、この例では、出射面の全体が、中央底板２８Ｃの正面視にて露出する。
【００６０】
図１３の例では、下面部８２の全体が、後ろ側ほど下方に位置するように曲線的に傾斜する。この例では、下面部８２の断面形状は、円弧状を有する。また、この例では、出射面の全体が、中央底板２８Ｃの正面視にて露出する。
【００６１】
図１４の例では、前面部８０は、上下方向の長さが比較的長くなるよう形成され、例えば下面部８２の前後方向の長さと実質的に同じになるよう形成され、また例えば第３ベース部６４の長さと実質的に同じになるよう形成される。下垂部６８は、前面部８０の上端部のみを隠すように比較的短く形成される。
【００６２】
（変形例６）
実施の形態では、制御ユニット７８が底板本体１７の収容空間３８内に収容される場合について説明したが、これに限られず、制御ユニット７８は他の場所に配置されてもよい。例えば制御ユニット７８は、縦仕切板３０の縦仕切板本体１５の内部に収容されてもよい。
【００６３】
（変形例７）
制御ユニット７８が、縦型照明ユニット１６および下部照明ユニット１８の両方の点消灯を制御する場合について説明したが、これに限られない。縦型照明ユニット１６と下部照明ユニット１８は、別々の制御ユニットにより  制御されてもよい。この場合、縦型照明ユニット１６の点消灯を制御するための制御ユニットは、例えば縦仕切板３０の縦仕切板本体１５の内部に収容されてもよい。
【００６４】
（変形例８）
実施の形態では、収容空間３８に縦型照明ユニット１６や下部照明ユニット１８に関する電気部品が収容され、収容空間５８に光源モジュール４８が収容される場合について説明したが、これに限られない。
【００６５】
例えば、電気部品の少なくとも一部は、例えば制御ユニット７８または／およびセンサ７６は、収容空間３８ではなく収容空間５８に収容されてもよい。なお電気部品のすべてが収容空間５８に収容される場合は、底板本体１７が収容空間３８を有するか否かは問わない。
【００６６】
また例えば、光源モジュール４８は、収容空間５８ではなく収容空間３８に収容されてもよい。この場合、収容空間３８の光源モジュール４８からの光を外部に照射させるための開口が底板本体１７に形成され、照明カバー７４はこの開口を塞ぐように底板本体１７に固定される。つまり光源モジュール４８は、本変形例の場合も、照明カバー７４と底板本体１７との間に形成される収容空間に収容される。なおこの場合は、中央底板２８Ｃは収容空間５８を有しない。
【００６７】
（変形例９）
実施の形態では、上部キャビネット１０は、洗面化粧台の一部を構成し、洗面所に設置される場合について説明したが、これに限られず、キッチン、トイレ、その他の場所に設置されてもよい。
【００６８】
以上の実施形態、変形例により具体化される発明を一般化すると、以下の技術的思想が導かれる。
本発明のある態様のキャビネットは、背板とは別体として形成された棚板を備える。棚板は、背板側の端部に、上側に隆起する隆起部を有する。
【００６９】
この態様によると、棚板にこぼれた液体が、棚板と背板との間に流れ込むのが抑止される。これにより、棚板と背板との間が汚れるのが抑止され、キャビネットの掃除が楽になる。
【００７０】
棚板は、背板とは反対側の端部に、上側に隆起する別の隆起部を有してもよい。別の隆起部の高さは、隆起部の高さよりも低い。
【００７１】
棚板は、背板とは反対側の端部に、上側に隆起する別の隆起部を有してもよい。別の隆起部は、隆起部の上端よりも下側に、排液部を有してもよい。
【００７２】
これらの態様によると、棚板に置かれた物の落下を抑止できる。加えて、棚板に液体がこぼれた場合に、液体が棚板と背板との間に流れ込むのが抑止され、さらに前面側から流れ落ちるのも抑止される。これにより、流れ落ちずに溜まった液体を拭き取ればよいため、液体をこぼしたときの掃除が楽になる。
【００７３】
棚板は、背板とは反対側の端部の一部にだけ、上側に隆起する別の隆起部を有してもよい。
【００７４】
棚板には、電気的部品が収容されており、棚板の背板側の面には、電気的部品に接続されるケーブルを外部に引き出すための穴が形成されていてもよい。
【００７５】
棚板は、底板を兼ねてもよい。
【００７６】
キャビネットと、キャビネットより下方に設けられる洗面台と、を備えてもよい。
【符号の説明】
【００７７】
１  洗面化粧台、  １２  収納棚、  １７  底板本体、  １８  下部照明ユニット、  ２０  背板、  ２８  底板、  ４２  トップカバー、  ５０  上板部、  ５０ａ  後端隆起部、  ５０ｂ  前端隆起部。
【図１】
2019103761.tif 000003
【図２】
2019103761.tif 000004
【図３】
2019103761.tif 000005
【図４】
2019103761.tif 000006
【図５】
2019103761.tif 000007
【図６】
2019103761.tif 000008
【図７】
2019103761.tif 000009
【図８】
2019103761.tif 000010
【図９】
2019103761.tif 000011
【図１０】
2019103761.tif 000012
【図１１】
2019103761.tif 000013
【図１２】
2019103761.tif 000014
【図１３】
2019103761.tif 000015
【図１４】
2019103761.tif 000016